(57)【特許請求の範囲】
【請求項１】
水洗大便器本体と、局部洗浄を行う局部洗浄装置と、を有し、この局部洗浄装置を前後方向にスライドさせて水洗大便器本体に着脱する水洗大便器装置であって、
上記水洗大便器本体の上面の後方に取り付けられ、後方にスライドさせた上記局部洗浄装置を上記水洗大便器本体に固定する固定部材と、
その基端部が上記局部洗浄装置の後方側に接続されその先端部が水洗大便器装置の外部に設けられた接続部に接続される管状部材と、
上記水洗大便器本体の上面の後方側に設けられ上記管状部材を上方から下方に通すための貫通孔と、を有し、
上記水洗大便器装置の前後方向に延びる左右方向の中心線に対して、上記管状部材の基端部が中心線の一方の側に設けられ、上記貫通孔が他方の側に設けられることを特徴とする水洗大便器装置。
【請求項２】
上記貫通孔は入口部を備え、この入口部が上記固定部材よりも後方に位置していることを特徴とする請求項１に記載の水洗大便器装置。
【請求項３】
上記管状部材の基端部と上記貫通孔は、それぞれ、上記固定部材の左右方向両端部近傍に位置していることを特徴とする請求項１又は請求項２に記載の水洗大便器装置。
【請求項４】
上記管状部材は、上記局部洗浄装置へ洗浄水を供給する給水管であることを特徴とする請求項１乃至３の何れか１項に記載の水洗大便器装置。
【請求項５】
上記管状部材は、上記局部洗浄装置へ洗浄水を供給する給水管及び電力を供給する電気ケーブルであることを特徴とする請求項１乃至３の何れか１項に記載の水洗大便器装置。
【請求項６】
上記貫通孔の入口部には、下方に傾斜した凹部が形成されていることを特徴とする請求項１乃至請求項５の何れか１項に記載の水洗大便器装置。
【発明の詳細な説明】
【技術分野】
【０００１】
本発明は、水洗大便器装置に係わり、特に、水洗大便器本体と、局部洗浄を行う局部洗浄装置と、を有し、この局部洗浄装置を前後方向にスライドさせて水洗大便器本体に着脱する水洗大便器装置に関する。
【背景技術】
【０００２】
従来から、水洗大便器本体の上面後部に固定された固定部材に対し、局部洗浄のための機能部を収納した局部洗浄装置（衛生洗浄装置）を前後方向にスライドさせることにより着脱可能な水洗大便器装置が知られている。
このような水洗大便器装置においては、局部洗浄装置から突出する給水管や電源コード等の管状部材を水洗大便器本体の内部を介して壁面の給水接続部及び電源接続部等と接続するようになっているが、これらの給水管や電源コード等の管状部材を水洗大便器本体の内部に格納するようにした給水給電隠蔽技術が普及している。
【０００３】
例えば、特許文献１には、水洗大便器本体の上面後部に固定された固定部材の一方の側方に貫通孔を形成し、この貫通孔に給水管や電源コードを通して、水洗大便器本体の背面に導くことにより、配管や配線を隠蔽し見栄えをよくした水洗大便器装置が記載されている。
【先行技術文献】
【特許文献】
【０００４】
【特許文献１】特開２０１４−１４７４４５号公報
【発明の概要】
【発明が解決しようとする課題】
【０００５】
しかしながら、上述した従来の水洗大便器装置では、局部洗浄装置（衛生洗浄装置）を前後方向にスライドさせて水洗大便器本体に取り付ける際に、給水管や電源コードが大きく屈曲してしまうという問題があった。
また、貫通孔設ける位置によっては、その貫通孔のサイズ分だけ水洗大便器本体の横幅が広くなってしまい水洗大便器装置全体が大型化するので、水洗大便器装置の施工スペースが狭い空間への設置が難しいという課題もあった。
【０００６】
本発明は、上述した問題や課題を解決するためになされたものであり、局部洗浄装置水洗大便器本体に着脱する際に給水管等の管状部材が屈曲することを防止することができる水洗大便器装置を提供することを目的としている。
【課題を解決するための手段】
【０００７】
上記の目的を達成するために、本発明は、水洗大便器本体と、局部洗浄を行う局部洗浄装置と、を有し、この局部洗浄装置を前後方向にスライドさせて水洗大便器本体に着脱する水洗大便器装置であって、水洗大便器本体の上面の後方に取り付けられ、後方にスライドさせた局部洗浄装置を水洗大便器本体に固定する固定部材と、その基端部が局部洗浄装置の後方側に接続されその先端部が水洗大便器装置の外部に設けられた接続部に接続される管状部材と、水洗大便器本体の上面の後方側に設けられ上記管状部材を上方から下方に通すための貫通孔と、を有し、水洗大便器装置の前後方向に延びる左右方向の中心線に対して、管状部材の基端部が中心線の一方の側に設けられ、貫通孔が他方の側に設けられることを特徴としている。
このように構成された本発明においては、局部洗浄装置を後方にスライドさせて水洗大便器本体の上面の後方に取り付けられた固定部材に固定する際、局部洗浄装置の後方側に接続される管状部材の基端部が前後方向に延びる左右方向の中心線の一方の側に設けられ、管状部材を通す貫通孔が中心線の他方の側に設けられているので、管状部材の基端部と貫通孔が左右方向に沿って離間して両者の間の距離が長くなり、それにより、管状部材に無理な外力が作用せず、管状部材の屈曲を防止することができる。
【０００８】
本発明において、好ましくは、貫通孔は入口部を備え、この入口部が上記固定部材よりも後方に位置している。
このように構成された本発明においては、貫通孔の入口部が固定部材よりも後方に位置しているので、水洗大便器装置の幅方向の寸法を小さくして小スペース化を達成することができる。
【０００９】
本発明において、好ましくは、管状部材の基端部と貫通孔は、それぞれ、固定部材の左右方向両端部近傍に位置している。
このように構成された本発明においては、管状部材の基端部と貫通孔がそれぞれ固定部材の左右方向両端部近傍に位置しているので、管状部材の基端部と貫通孔との左右方向の両者の距離がより長くなるので、局部洗浄装置を後方へスライドさせる際、より効果的に管状部材の屈曲を防止することができる。
【００１０】
本発明において、好ましくは、管状部材は、局部洗浄装置へ洗浄水を供給する給水管である。
このように構成された本発明においては、管状部材が給水管の場合、給水管が屈曲すると洗浄水が局部洗浄装置に供給され難くなり局部洗浄機能が低下するが、このような局部洗浄機能の低下を防止することができる。
【００１１】
本発明において、好ましくは、管状部材は、局部洗浄装置へ洗浄水を供給する給水管及び電力を供給する電気ケーブルである。
このように構成された本発明においては、管状部材が給水管の場合、給水管が屈曲すると洗浄水が局部洗浄装置に供給され難くなり局部洗浄機能が低下するが、このような局部洗浄機能の低下を防止することができ、管状部材が電気ケーブルの場合、電気ケーブルが屈曲すると断線することがあるが、この断線も防止することができる。
【００１２】
本発明において、好ましくは、貫通孔の入口部には、下方に傾斜した凹部が形成されている。
このように構成された本発明においては、貫通孔の入口部には下方に傾斜した凹部が形成されているので、入口部が管状部材をガイドして容易に管状部材を貫通孔内に通すことができる。
【発明の効果】
【００１３】
本発明の水洗大便器装置によれば、局部洗浄装置を水洗大便器本体に対して着脱する際に、給水管等の管状部材が屈曲することを防止することができる。
【図面の簡単な説明】
【００１４】
【図１】本発明の実施形態による水洗大便器装置を示す斜視図である。
【図２】本発明の実施形態による水洗大便器装置を示す側面図である。
【図３】本発明の実施形態による水洗大便器装置を示す背面図である。
【図４】本発明の実施形態による水洗大便器装置の水洗大便器本体の平面図である。
【図５】図４のＶ−Ｖ線に沿って見た水洗大便器本体の部分断面図である。
【図６】本発明の実施形態による水洗大便器装置の、水洗大便器本体に局部洗浄装置が取り付けられた状態での、水洗大便器本体と管状部材と固定部材との位置関係を示す平面図であり、局部洗浄装置の図示は省略されている。
【図７】本発明の実施形態による水洗大便器装置の、水洗大便器本体に局部洗浄装置を取り付ける前の状態を示す斜視図である。
【発明を実施するための形態】
【００１５】
以下、添付図面を参照して本発明の実施形態による水洗大便器装置を説明する。
最初に、図１及び図２により、本実施形態による水洗大便器装置の基本構造を説明する。図１は本発明の実施形態による水洗大便器装置を示す斜視図であり、図２は本発明の実施形態による水洗大便器装置を示す側面図である。
【００１６】
図１及び図２に示すように、本実施形態による水洗大便器装置１は、水洗大便器本体２と、この水洗大便器本体２に取り付けられた局部洗浄装置４を備えている。水洗大便器本体２は、ボウル部３を備え、ボウル部３が洗浄水により洗浄され、汚物が排出されるようになっている。また、局部洗浄装置４は、洗浄ノズル、ノズル駆動用モータ、モータ制御装置等を備えた機能部４ａを有し、洗浄ノズルから噴出される局部洗浄用の洗浄水により使用者の局部が洗浄されるようになっている。
【００１７】
水洗大便器装置１は、壁面６に取り付けられ、また、床８とは離間した状態となっている。壁面６の内側には、洗浄水を貯水する貯水タンク１０が設けられ、この貯水タンク１０に接続された給水配管１２を経て、水洗大便器装置１の水洗大便器本体２に洗浄水が供給されるようになっている。
【００１８】
次に、図３乃至図７により、本発明の実施形態による水洗大便器装置の詳細構造について説明する。図３は本発明の実施形態による水洗大便器装置を示す背面図であり、図４は本発明の実施形態による水洗大便器装置の水洗大便器本体の平面図であり、図５は図４のＶ−Ｖ線に沿って見た水洗大便器本体の部分断面図であり、図６は本発明の実施形態による水洗大便器装置の、水洗大便器本体に局部洗浄装置が取り付けられた状態での、水洗大便器本体と管状部材と固定部材との位置関係を示す平面図であり、局部洗浄装置の図示は省略されており、図７は本発明の実施形態による水洗大便器装置の、水洗大便器本体に局部洗浄装置を取り付ける前の状態を示す斜視図である。
【００１９】
先ず、図６及び図７に示すように、水洗大便器本体２の上面の後方には、２つの取付孔１４（図４参照）が形成され、これらの取付孔１４に、左右方向（幅方向）に延びる矩形形状の固定部材１６がボルト等を介して取り付けられている。局部洗浄装置４は、この固定部材１６に固定され、水洗大便器本体２に取り付けられるようになっている。詳細は後述するが、局部洗浄装置４を後方にスライドさせて固定部材１６に固定し、水洗大便器本体２に取り付け、また、局部洗浄装置４を前方にスライドさせて、固定部材１６から外し、水洗大便器本体２から取り外し可能となっている。
【００２０】
図３に示すように、局部洗浄装置４の後方の左側には、管状部材である給水管１８及び電気ケーブル２０の基端部１８ａ，２０ａがそれぞれ接続されている。これらの給水管１８の先端部１８ｂには接続用金具（図示せず）が取付けられ、電気ケーブル２０の先端部２０ｂにはプラグ（図示せず）が取り付けられ、これらの接続用金具及びプラグが、それぞれ、水洗大便器装置１の外部である壁面６に設けられた給水管接続部２２及び電気ケーブル接続部２４にそれぞれ接続されている（図２参照）。この給水管１８の基端部１８ａ及び電気ケーブル２０ａの基端部２０ａが接続される局部洗浄装置４の後方の左側は露出して露出部２６となるので、露出部２６は、隠蔽板２８により隠蔽されている。
【００２１】
図４に示すように、水洗大便器本体２のボウル部３よりも後方の右側には、上述した給水管１８及び電気ケーブル２０を上方から下方に通すための貫通孔３０が形成されている。この貫通孔３０は、凹部形状の入口部３０ａと孔部３０ｂを備え、入口部３０ａから孔部３０ｂに沿って平面視で湾曲形状となっている。
【００２２】
図５に示すように、貫通孔３０の入口部３０ａは、水洗大便器本体２の右外側に向かって下方に傾斜し固定部材１６よりも後方に位置している。また、貫通孔３０の孔部３０ｂは、給水管１８及び電気ケーブル２０が延びる方向で且つ下方に向けて断面が拡張するような形状となっている。
【００２３】
図６に示すように、水洗大便器本体２の上面の後方に取付けられた固定部材１６は、貫通孔３０の一部を閉塞している。貫通孔３０の入口部３０ａは、上述したように固定部材１６よりも後方に位置しており、給水管１８及び電気ケーブル２０が挿入可能な程度の空間が確保されている。
また、給水管１８及び電気ケーブル２０の基端部１８ａ，２０ａと、貫通孔３０は、それぞれ、固定部材１６の左右方向両端部近傍に位置している。
【００２４】
図６には、水洗大便器装置１の前後方向に延びる左右方向の中心線Ｃが示されている。局部洗浄装置４に接続される給水管１８及び電気ケーブル２０のそれぞれの基端部１８ａ，２０ｂと、貫通孔３０は、この中心線Ｃを挟んで、水洗大便器本体２の後方の左右方向の端部近傍に、それぞれ、位置している。これにより、給水管１８及び電気ケーブル２０の基端部１８ａ，２０ａと貫通孔３０は左右方向に沿って離間し、両者の間の距離を長くとれる。
【００２５】
なお、本実施形態では、給水管１８及び電気ケーブル２０のそれぞれの基端部１８ａ，２０ｂは、中心線Ｃに対し、水洗大便器本体２の左側に位置し、貫通孔３０は中心線Ｃの右側に位置しているが、両者は、中心線Ｃを挟んで配置されれば良く、両者が左右方向に逆の位置に配置されてもよい。
【００２６】
次に、本発明の実施形態による局部洗浄装置を水洗大便器本体へ取り付けるための取付け動作を説明する。最初に、接続用金具が取付けられた給水管１８の先端部１８ａ及びプラグが取付けられた電気ケーブル２０の先端部２０ａを貫通孔３０に挿入する。給水管１８の接続用金具及び電気ケーブル２０のプラグが給水管１８及び電気ケーブル２０の直径よりも大きいので、貫通孔３０の一部を固定部材１６が塞ぐ前に、貫通孔３０に挿入する必要があるからである。次に、図７に示すように、水洗大便器本体２の取付孔１４に固定部材１６を取り付ける。
【００２７】
次に、給水管１８及び電気ケーブル２０が貫通孔３０に挿入された状態で、局部洗浄装置４を後方にスライドさせて固定部材１６に固定し、水洗大便器本体２に取り付けられる。
この局部洗浄装置４を後方にスライドさせる際、給水管１８及び電気ケーブル２０は、それらの基端部１８ａ，２０ａと貫通孔３０とが左右方向に沿って離間して両者の距離が長くなるので、局部洗浄装置４の左側端部から貫通孔３０に向かって大きな円弧状に延びることができ、それにより、給水管１８及び電気ケーブル２０には無理な外力が作用せず、大きく屈曲することを防止できる。
【００２８】
また、局部洗浄装置４を後方にスライドさせる際、給水管１８及び電気ケーブル２０は、貫通孔３０の入口部３０ａの下方に傾斜した凹部形状の面によりガイドされながら孔部３０ｂに向かって移動でき、且つ、孔部３０ｂが給水管１８及び電気ケーブル２０が延びる方向で且つ下方に向けて拡張されているので、貫通孔３０内に容易に通すことができ、さらに、給水管１８及び電気ケーブル２０に無理な外力も作用しないので、この点からも大きく屈曲することを防止できる。
【００２９】
上述した本実施形態による水洗大便器装置による作用効果を説明する。水洗大便器装置１においては、局部洗浄装置４を後方にスライドさせて水洗大便器本体２の上面の後方に取り付けられた固定部材１６に固定する際、局部洗浄装置４の後方側に接続される給水管１８及び電気ケーブル２０の基端部１８ａ，２０ａが前後方向に延びる左右方向の中心線Ｃの左側に設けられ、貫通孔３０が中心線Ｃの右側に設けられているので、給水管１８及び電気ケーブル２０の基端部１８ａ，２０ａと貫通孔３０が左右方向に沿って離間して両者の間の距離が長くなり、それにより、給水管１８及び電気ケーブル２０に無理な外力が作用せず、管状部材の屈曲を防止することができる。具体的には、給水管１８が屈曲すると洗浄水が局部洗浄装置４に供給され難くなり局部洗浄機能が低下するが、このような局部洗浄機能の低下を防止することができ、電気ケーブル２０が屈曲すると断線することがあるが、この断線も防止することができる。
【００３０】
また、本実施形態による水洗大便器装置１において、貫通孔３０は入口部３０ａを備え、この入口部３０ａが固定部材１６よりも後方に位置しているので、水洗大便器装置１の幅方向の寸法を小さくして小スペース化を達成することができる。
【００３１】
また、本実施形態による水洗大便器装置１において、給水管１８及び電気ケーブル２０の基端部１８ａ，２０ａと貫通孔３０がそれぞれ固定部材１６の左右方向両端部近傍に位置しているので、給水管１８及び電気ケーブル２０の基端部１８ａ，２０ａと貫通孔３０との左右方向の両者の距離がより長くなるので、局部洗浄装置４を後方へスライドさせる際、より効果的に給水管１８及び電気ケーブル２０の屈曲を防止することができる。
【００３２】
さらに、本実施形態による水洗大便器１において、貫通孔３０の入口部３０ａには、下方に傾斜した凹部が形成されているので、入口部３０ａが給水管１８及び電気ケーブル２０をガイドして容易に管状部材を貫通孔３０内に通すことができる。
【符号の説明】
【００３３】
１  水洗大便器装置
２  水洗大便器本体
４  局部洗浄装置
１６  固定部材
１８  給水管
２０  電気ケーブル
３０  貫通孔
【図１】
0006455665.tif 000002
【図２】
0006455665.tif 000003
【図３】
0006455665.tif 000004
【図４】
0006455665.tif 000005
【図５】
0006455665.tif 000006
【図６】
0006455665.tif 000007
【図７】
0006455665.tif 000008